(57)【要約】【課題】ロールケーキを包丁でカットするにあたり、ロールケーキをわざわざ定規を使って長さを測ることなく、叉その際に手形を付けることなく、ロールケーキを垂直な面に包丁でカットして、カット面が傾くのを防いで綺麗に且つそのカット長さも正確にロールケーキをカットすることのできるロールケーキカット用補助具を提供する。【解決手段】弾性の板状部材の中央部分を弧状に折り曲げ、上面側が弧状天井面１１で覆われ左右両側が側面１２で覆われたロールケーキａが入る内部空間１ａを内側に形成すると共に、内部空間１ａの底面側及び両端を開口し、両端の側端縁１３を内部空間１ａの長さ方向の中心線に対して直交するように形成し且つ前後の側端縁１３を平行に形成し、側端縁１３を左右の側面１２の下端縁１４とを直角に形成した【選択図】        図１
0003162299.tif 000002
【実用新案登録請求の範囲】
【請求項１】
弾性を有する方形の板状部材の中央部分を弧状に折り曲げ、その頂部側が断面上向き凸型弧状に形成された弧状天井面と該弧状天井面の両側にこれに連続して下向きに形成された側面とからなり、上面側が前記弧状天井面で覆われ左右両側が前記側面で覆われたロールケーキが入る内部空間を内側に形成すると共に、内部空間の底面側及び前後方向の両端をロールケーキが入る大きさに開口し、当該両端の側端縁を前記内部空間の長さ方向の中心線に対して直交するように形成し且つ前後の側端縁を平行に形成し、この前後の側端縁を左右の側面の下端縁とを直角に形成したことを特徴とするロールケーキカット用補助具。
【請求項２】
板状部材は透明板からなる請求項１記載のロールケーキカット用補助具。
【請求項３】
側端縁は、内部空間側に臨む内周縁が丸みを帯びた形状に形成されている請求項１記載のロールケーキカット用補助具。
【請求項４】
側面の下端縁は、内部空間側に臨む内縁が丸みを帯びた形状に形成されている請求項１記載のロールケーキカット用補助具。
【請求項５】
弧状天井面から左右の側面にかけて、側端縁に平行なカット用目印溝が形成されている請求項１記載のロールケーキカット用補助具。
【請求項６】
側面にはカット用目盛りが形成されている請求項１記載のロールケーキカット用補助具。
【請求項７】
側面には側端縁からロールケーキのカット長さだけ突出するように一時的にカット用目盛り用付箋が貼り付けられる請求項１記載のロールケーキカット用補助具。
【考案の詳細な説明】
【技術分野】
【０００１】
この考案は、ロールケーキを包丁を使って同ケーキの端部をカットしたり、一定の長さに或いは一定の厚みにカットする場合に使用するロールケーキカット用補助具に関するものである。
【背景技術】
【０００２】
ロールケーキは、これを箱に入れて販売する場合、入れる箱の長さより長めに焼き上げて、箱の大きさに合わせてその箱に入る長さにカットされている。また、焼き上げられたロールケーキの両端部分は、少し丸みを帯びて垂直面になっておらず、見た目も必ずしも綺麗でもない。このため、ロールケーキの両端部分は、その長さ方向に対して垂直な面に包丁でカットされる。
また、ロールケーキは箱詰めされる長さよりも短い一定の厚みにカットされて販売されることもある。この場合も、カット面が綺麗に見えるように垂直な面にカットされる。
【考案の概要】
【考案が解決しようとする課題】
【０００３】
しかしながら、ロールケーキが箱詰めされて販売される場合、箱の長さからロールケーキは通常１６ｃｍの長さにカットされるが、このときには定規を使ってその都度、その長さを測ってカットしており面倒であった。
また、包丁でロールケーキをカットする場合、ロールケーキが動かないように、カットされる付近のロールケーキ本体側を手で押さえるので、押さえられたロールケーキの本体側の外側表面には手形が付いたりして、その結果、その手形が原因でロールケーキが売り物にならないこともあった。
さらに、ロールケーキをカットする場合、カット面が綺麗に見えるように、カット面はロールケーキの長さ方向に対して垂直な面にカットされるが、包丁を使ってロールケーキのカット面を垂直な面に切るのは必ずしも容易ではなかった。
【０００４】
この考案は、上記のような課題に鑑み、その課題を解決すべく創案されたものであって、その目的とするところは、ロールケーキを包丁でカットするにあたり、ロールケーキをわざわざ定規を使って長さを測ることなく、叉その際に手形を付けることなく、ロールケーキを垂直な面に包丁でカットして、カット面が傾くのを防いで綺麗に且つそのカット長さも正確にロールケーキをカットすることのできるロールケーキカット用補助具を提供することにある。
【課題を解決するための手段】
【０００５】
以上の課題を達成するために、請求項１の考案は、弾性を有する方形の板状部材の中央部分を弧状に折り曲げ、その頂部側が断面上向き凸型弧状に形成された弧状天井面と該弧状天井面の両側にこれに連続して下向きに形成された側面とからなり、上面側が前記弧状天井面で覆われ左右両側が前記側面で覆われたロールケーキが入る内部空間を内側に形成すると共に、内部空間の底面側及び前後方向の両端をロールケーキが入る大きさに開口し、当該両端の側端縁を前記内部空間の長さ方向の中心線に対して直交するように形成し且つ前後の側端縁を平行に形成し、この前後の側端縁を左右の側面の下端縁とを直角に形成した手段よりなるものである。
【０００６】
また、請求項１の好ましい態様として、板状部材は透明板からなるものでもよい。また、側端縁は内部空間側に臨む内周縁が丸みを帯びた形状に形成されているのがよく、側面の下端縁は内部空間側に臨む内縁が丸みを帯びた形状に形成されているのがよい。また、弧状天井面から左右の側面にかけて、側端縁に平行なカット用目印溝が形成されていてもよい。さらに、側面にはカット用目盛りが形成されていてもよい。さらにまた、側面には側端縁からロールケーキのカット長さだけ突出するように一時的にカット用目盛り用付箋が貼り付けられていてもよい。
【考案の効果】
【０００７】
課題を解決するための手段よりなるこの考案に係るロールケーキカット用補助具によれば、ロールケーキを包丁でカットする場合に、ロールケーキのカット長さをわざわざ定規を使って測ることなく、所定の長さに正確に且つ簡単容易にカットすることができる。
しかも、ロールケーキをカットする場合に、ロールケーキが動かないように保持するとき、手で直接にロールケーキに触ることがないので、ロールケーキの表面の一部に手形を付けることもなく、手形の付くことによって売り物にならないという状況を防ぐことができる。
さらに、ロールケーキをカットする場合、ロールケーキに対して垂直な面になる側端縁に沿って包丁を下ろすのみで、ロールケーキを垂直な面でカットして、カット面が傾くのを防いでカット面を綺麗に保つことができる。
このように、ロールケーキを包丁でカットするにあたり、ロールケーキをわざわざ定規を使って長さを測ることなく、叉その際に手形を付けることなく、ロールケーキを垂直な面に包丁でカットし得て、カット面が傾くのを防いで綺麗に且つそのカット長さも正確にカットすることができる等、極めて実用的有益なる効果を奏するものである。
【０００８】
また、請求項２のように、板状部材は透明板からなるので、ロールケーキカット用補助具の内部空間に入っているロールケーキの状態が外部からでも容易に一目でき、ロールケーキカット用補助具の左右の側面でロールケーキを動かないように挟むとき、強く挟み過ぎることもなく、ロールケーキの表面を傷つけることもない。
【０００９】
また、請求項３のように、側端縁は内部空間側に臨む内周縁が丸みを帯びた形状に形成されているので、側端縁がロールケーキの表面に接触した場合にその表面を傷つけるのが防がれる。
【００１０】
また、請求項４のように、側面の下端縁は内部空間側に臨む内縁が丸みを帯びた形状に形成されているので、側面の下端縁がロールケーキの表面に接触した場合にその表面を傷つけるのが防がれる。
【００１１】
また、請求項５のように、弧状天井面から左右の側面にかけて、側端縁に平行なカット用目印溝が形成されている場合には、このカット用目印溝に包丁を差し込むだけで内部空間に入っているロールケーキの上側表面に容易にカット用の目印を付けることができる。
【００１２】
また、請求項６のように、側面にはカット用目盛りが形成されている場合には、このカット用目盛りの所定の位置に包丁の先端を合わせ、包丁を固定した状態でロールケーキカット用補助具をずらして、その側端縁を固定した包丁の位置に合わせることで、ロールケーキを所定の長さで簡単容易にカットすることができる。
【００１３】
また、請求項７のように、側面には側端縁からロールケーキのカット長さだけ突出するように一時的にカット用目盛り用付箋が貼り付けられている場合には、このロールケーキカット用補助具をずらして、側端縁からロールケーキのカット長さだけ突出するカット用目盛り用付箋の先端を、側端縁から外側に突出するロールケーキの先端位置に合わせることで、ロールケーキを所望のカット長さで簡単容易にカットすることができる。
【図面の簡単な説明】
【００１４】
【図１】この考案を実施するための形態を示すロールケーキカット用補助具の斜視図である。
【図２】この考案を実施するための形態を示すロールケーキカット用補助具の正面図である。
【図３】この考案を実施するための形態を示すロールケーキカット用補助具の側面図である。
【図４】この考案を実施するための形態を示すロールケーキカット用補助具の平面図である。
【図５】（Ａ）はこの考案を実施するための形態を示す側端縁の部分拡大横断面図である。  （Ｂ）はこの考案を実施するための形態を示す下端縁の部分拡大縦断面図である。
【図６】この考案を実施するための形態を示すロールケーキカット用補助具を使用したロールケーキのカット方法における同補助具をロールケーキに載せた説明図である。
【図７】この考案を実施するための形態を示すロールケーキカット用補助具を使用したロールケーキのカット方法における同補助具でロールケーキを挟んで固定させた説明図である。
【図８】この考案を実施するための形態を示すロールケーキカット用補助具を使用したロールケーキのカット方法におけるロールケーキの端をカットする説明図である。
【図９】この考案を実施するための形態を示すロールケーキカット用補助具を使用したロールケーキのカット方法における１本目のロールケーキのカット目印を付ける説明図である。
【図１０】この考案を実施するための形態を示すロールケーキカット用補助具を使用したロールケーキのカット方法における１本目のロールケーキをカットする説明図である。
【図１１】この考案を実施するための形態を示すロールケーキカット用補助具を使用したロールケーキのカット方法における２本目のロールケーキのカット目印を付ける説明図である。
【図１２】この考案を実施するための形態を示すロールケーキカット用補助具を使用したロールケーキのカット方法における２本目のロールケーキをカットする説明図である。
【図１３】この考案を実施するための形態を示すロールケーキカット用補助具を使用したロールケーキのカット方法における３本目のロールケーキの端をカットするためにこのロールケーキを反転させている説明図である。
【図１４】この考案を実施するための形態を示すロールケーキカット用補助具を使用したロールケーキのカット方法における３本目のロールケーキの端をカットする説明図である。
【図１５】（Ａ）〜（Ｃ）はこの考案を実施するための形態を示すロールケーキカット用補助具のカット用目盛りを利用したロールケーキのカット方法の平面から見た説明図である。
【図１６】（Ａ）〜（Ｃ）はこの考案を実施するための形態を示すロールケーキカット用補助具にカット用目盛り用付箋１７を貼り付けてこれを利用したロールケーキのカット方法の平面から見た説明図である。
【考案を実施するための形態】
【００１５】
以下、図面に記載の考案を実施するための形態に基づいて、この考案をより具体的に説明する。
【００１６】
図において、ロールケーキカット用補助具１は、ロールケーキａを包丁ｂを使って同ケーキａの端部をカットしたり、一定の長さに或いは一定の厚みにカットする場合に使用する器具で、このロールケーキカット用補助具１の内部にロールケーキａを入れ、該ケーキａのカットしたい部分を、ロールケーキカット用補助具１の側端縁１３から外側に突出させ、側端縁１３に沿って包丁ｂを下ろすことで、ロールケーキａをカットすることができる。
【００１７】
このロールケーキカット用補助具１は、ロールケーキａを包丁ｂでカットするにあたり、ロールケーキａをわざわざ定規を使って長さを測ることなく、叉その際にロールケーキａの表面に手形を付けることなく、ロールケーキａを垂直な面に包丁ｂでカットして、カット面が傾くのを防いで綺麗に且つそのカット長さも正確にロールケーキａをカットすることのできる特徴を備えている。
【００１８】
ロールケーキカット用補助具１は、弾性を有する長方形又は正方形の方形の板状部材の中央部分を弧状に折り曲げて略蒲鉾型に形成した形状から構成されている。即ち、ロールケーキカット用補助具１は、頂部側が断面上向き凸型弧状に形成され弧状天井面１１からなり、弧状天井面１１の両側にはこれに連続する下向きの側面１２，１２が形成されている。左右の側面１２，１２は、図面では左右の外側方に少し開くような斜め下向きに形成されているが、傾斜しない垂直下向きでもよい。また、左右の側面１２，１２は、断面が直線状に形成されているが、これに限定されることはなく、例えば緩やかな弧状や波形になっていてもよい。
【００１９】
ロールケーキカット用補助具１の左右の側面１２，１２を掴んで少し内側に向けて曲げて接近させる場合に、曲がりやすいように、弧状天井面１１は、円弧状に形成されている。ロールケーキカット用補助具１を構成する方形の板状部材には、弾性のある部材が使用され、例えば透明なアクリル板が使用される。透明であることにより、ロールケーキカット用補助具１の内側に入れたロールケーキａの状態が外部から一目で分かる。
【００２０】
そして、ロールケーキカット用補助具１の蒲鉾型の形状の内側にロールケーキａが入る内部空間１ａが形成される。ロールケーキａが入る内部空間１ａは、その上面側がロールケーキカット用補助具１の弧状天井面１１で覆われ、左右両側はロールケーキカット用補助具１の側面１２，１２で覆われている。内部空間１ａはロールケーキａが余裕もって入れる大きさになっている。つまり、左右の側面１２，１２を手で挟まない場合には、上面側の弧状天井面１１及び側面１２，１２の一部がロールケーキａに接触しないだけの広さを有している。
【００２１】
また、内部空間１ａは、逆に、その底面側及び前後方向の両端が開口されている。底面側及び前後方向の両端の開口の大きさはロールケーキが入る場合に左右の側面１２，１２の一部がロールケーキａに接触しないだけの広さを有している。前後方向の開口された両端の側端縁１３，１３は、頂部側が断面上向き凸型弧状に形成されていて前記弧状天井面１１の端縁になっている。また、側端縁１３，１３は、その頂部側の両側が下向きの前記の側面１２，１２の端縁になっている。
【００２２】
側端縁１３，１３は、内部空間１ａの長さ方向の中心線に対して直交するように形成されていて、側面から見て垂直な直線に形成されている。さらに、前後の側端縁１３，１３は平行になっている。前後の側端縁１３，１３は、後述する左右の側面１２，１２の下端縁１４，１４と直角になっている。
【００２３】
ロールケーキカット用補助具１の前後の側端縁１３，１３の間の長さは、例えば１６ｃｍになっている。これは、ロールケーキａを入れる箱の長さは一般に１８ｃｍで、この箱にロールケーキａを入れるためには、その両端を１ｃｍずつ短くカットするので、その結果、箱に入れられるロールケーキａの長さは１６ｃｍになるからである。
【００２４】
ロールケーキカット用補助具１の内部空間１ａの開口している底面側を利用して、ロールケーキカット用補助具１をロールケーキａの上に上方側から下ろすことで、ロールケーキａは開口している底面側から内部空間１ａ内に入れられる。同様に、内部空間１ａの前後方向の両端が開口されているので、内部空間１ａの長さより長いロールケーキａの一部をこの内部空間１ａに入れることができるのである。そして、内部空間１ａの側端縁１３から外側にはみ出した部分が、包丁ｂによってこの側端縁１３に沿ってカットされるのである。
【００２５】
ロールケーキカット用補助具１の内部空間１ａの開口している底面側の両端を構成する左右の側面１２，１２の下端縁１４，１４は、平行な直線状に形成されている。この直線状の左右の下端縁１４，１４は、前述したように前後の側端縁１３，１３と直角になっている。これによって、前後の側端縁１３，１３はロールケーキａに対して垂直面になり、この側端縁１３，１３に沿って包丁ｂを下ろすとロールケーキａを垂直な面にカットすることが可能となるのである。
【００２６】
内部空間１ａの前後方向の両端となる側端縁１３，１３は、内部空間１ａ側に臨む内周縁が丸み１３ａを帯びた形状に形成されている。この丸み１３ａはロールケーキａの表面と接触する側面１２，１２の側端縁１３，１３には形成されている。これに対して、丸み１３ａはロールケーキａの表面と接触しない弧状天井面１１の側端縁１３，１３には形成されないこともあるが、必要に応じて弧状天井面１１の側端縁１３，１３に丸み１３ａを形成していてもよい。丸み１３ａはロールケーキａの表面に接触した場合にその表面を傷つけるのを防ぐためのものである。
【００２７】
また、内部空間１ａの開口している底面側の両端を構成する左右の側面１２，１２の下端縁１４，１４は、内部空間１ａ側に臨む内縁が丸み１４ａを帯びた形状に形成されている。丸み１４ａはロールケーキａの表面に接触した場合にその表面を傷つけるのを防ぐためのものである。
【００２８】
このように、側端縁１３，１３の丸み１３ａ、下端縁１４，１４の丸み１４ａによって、ロールケーキカット用補助具１を上側からロールケーキａの上に被せたり、ロールケーキａに沿ってロールケーキカット用補助具１を前後方向に移動させたりするとき、ロールケーキａの表面を傷つけるのを防いで、その傷が原因でロールケーキａが売り物にならなくなるのを回避することができる。
【００２９】
ロールケーキカット用補助具１の上部側には、弧状天井面１１から左右の側面１２，１２の上部側にかけて、カット用目印溝１５が形成されている。カット用目印溝１５は前後の垂直な側端縁１３，１３に平行に形成されている。また、カット用目印溝１５は前後の側端縁１３，１３から一定距離の位置に形成されている。
【００３０】
カット用目印溝１５は包丁ｂを使って、ロールケーキカット用補助具１の内部空間１ａに入れているロールケーキａの上側表面に、カット位置の目印を入れる場合に使用される溝で、溝幅は包丁ｂの厚みが入る程で、例えば１．５ｍｍ程度である。溝長さは内部空間１ａに入れたロールケーキａの上側表面に包丁ｂの刃先が確実に接触して切れ目を入れることができる深さで、例えばロールケーキカット用補助具１の高さの半分程である。
【００３１】
ロールケーキカット用補助具１の左右の側面１２，１２の下端縁１４，１４側には、ロールケーキａを一定の長さや厚みにカットしたい場合に利用されるカット用目盛り１６がその長さ方向に形成されている。
【００３２】
また、カット用目盛り用付箋１７は、ロールケーキカット用補助具１の側面１２に側端縁からロールケーキａのカット長さだけ突出するように一時的に貼り付け、これを利用してロールケーキａを任意の長さでカットする場合に使用される。カット用目盛り用付箋１７の裏面には側面１２に一時的に付着できる粘着剤が塗られている。
【００３３】
次に、上記考案を実施するための形態の構成に基づくロールケーキカット用補助具の使用方法について図６〜図１４により説明する。
ロールケーキカット用台などの上に、カットされる長めのロールケーキａを載せ、そのの上方からロールケーキカット用補助具１をロールケーキａに当たらないようにその上にそっと置く。ロールケーキカット用補助具１の内部空間１ａにロールケーキａの一部は入るが、両端の側端縁１３，１３からロールケーキａの両端側がそれぞれはみ出るように置く（図６参照）。
【００３４】
ロールケーキカット用補助具１の左右の側面１２，１２を親指と残り指でそっと挟んで、ロールケーキカット用補助具１の内部空間１ａに入れられているロールケーキａをそっと固定する（図７参照）。
【００３５】
ロールケーキカット用補助具１の前端側の側端縁１３に包丁ｂをあて、側端縁１３にそって包丁ｂを下ろして、ロールケーキａの端（耳）を垂直にカットする。側端縁１３，１３は左右の側面１２，１２の下端縁１４，１４を通じて、ロールケーキａに対して垂直になっているので、ロールケーキａの端（耳）を垂直にカットすることができる（図８参照）。
【００３６】
ロールケーキカット用補助具１をそのままにして、反対側となる後端側の側端縁１３に包丁ｂをあて、包丁ｂを少し下ろして、後端側の側端縁１３からはみ出しているロールケーキａの上側表面に包丁ｂで目印を付ける（図９参照）。
【００３７】
ロールケーキａに目印を付けた位置までロールケーキカット用補助具１をずらして、その目印の位置に前端側の側端縁１３を合わせ、その目印の位置にある前端側の側端縁１３に沿って包丁ｂを下ろして１本目のロールケーキａをカットする（図１０参照）。
【００３８】
カット後、ロールケーキカット用補助具１をそのままにして、反対側となる後端側の側端縁１３に包丁ｂをあて、包丁ｂを少し下ろして、後端側の側端縁１３からはみ出しているロールケーキａの上側表面に包丁ｂで目印を付ける（図１１参照）。
【００３９】
ロールケーキａに目印を付けた位置までロールケーキカット用補助具１をずらして、その目印の位置に前端側の側端縁１３を合わせ、その目印の位置にある前端側の側端縁１３に沿って包丁ｂを下ろして２本目のロールケーキａをカットする（図１２参照）。
【００４０】
３本目のロールケーキａは、残りのロールケーキａの前後を逆に反転し（図１３参照）、垂直にカットされたロールケーキａの前端面をロールケーキカット用補助具１の後端側の側端縁１３に揃え、ロールケーキカット用補助具１の前端側の側端縁１３からはみ出しているロールケーキａの端（耳）をカットする（図１４参照）。
【００４１】
以上の作業により、長めのロールケーキａをロールケーキカット用補助具１を使用して、同じ長さの３本のロールケーキａに簡単にカットすることができる。しかも、ロールケーキａのカット面は垂直面になっている。また、ロールケーキａのカットに際して、ロールケーキａの表面に手形を付けることもない。
【００４２】
また、ロールケーキａを箱に入れる長さよりも短い厚みにカットする方法として、ロールケーキカット用補助具１の側面１２に形成したカット用目盛り１６を利用する場合について図１５により説明する。
【００４３】
先ず、ロールケーキａをカットしたい長さのカット用目盛り１６の位置に、カットする包丁ｂの先端を合わせ、その位置に包丁ｂを置く（図１５（Ａ）参照）。
【００４４】
続いて、カット位置に置いた包丁ｂの先端位置に、ロールケーキカット用補助具１の側端縁１３をずらして合わせる（図１５（Ｂ）参照）。
【００４５】
それから、ロールケーキカット用補助具１の前端側の側端縁１３に沿って包丁ｂを下ろして、ロールケーキａを一定の厚みにカットする（図１５（Ｃ）参照）。このようにして、ロールケーキカット用補助具１の側面１２に形成したカット用目盛り１６を利用してロールケーキａを容易にカットすることができる。
【００４６】
さらに、ロールケーキａを箱に入れる長さよりも短い厚みにカットする方法として、ロールケーキカット用補助具１にカット用目盛り用付箋１７を一時的に貼り付けて、このカット用目盛り用付箋１７を利用する場合について図１６により説明する。
【００４７】
先ず、ロールケーキカット用補助具１の前端側の側端縁１３の側面１２に、この側端縁１３からカットする長さだけ突出させてカット用目盛り用付箋１７を貼り付ける（図１６（Ａ）参照）。
【００４８】
続いて、突出するカット用目盛り用付箋１７の長さだけロールケーキカット用補助具１をずらして、突出するカット用目盛り用付箋１７の先端をロールケーキａの先端の垂直面に合わせる（図１６（Ｂ）参照）。
【００４９】
それから、ロールケーキカット用補助具１の前端側の側端縁１３に沿って包丁ｂを下ろして、ロールケーキａを一定の厚みにカットする。このとき、このカット用目盛り用付箋１７が包丁ｂの邪魔にならないように折り曲げて、側端縁１３からカット用目盛り用付箋１７が飛び出さないようにする（図１６（Ｃ）参照）。
【００５０】
なお、この考案は上記考案を実施するための形態に限定されるものではなく、この考案の精神を逸脱しない範囲で種々の改変をなし得ることは勿論である。例えば、前記の実施の形態の説明においては、カット用目印溝１５、カット用目盛り１６が形成されている場合で説明したが、必要に応じて省略してもよい。
【符号の説明】
【００５１】
１    ロールケーキカット用補助具
１ａ  内部空間
１１    弧状天井面
１２    側面
１３    側端縁
１３ａ  丸み
１４    下端縁
１４ａ  丸み
１５    カット用目印溝
１６    カット用目盛り
１７    カット用目盛り用付箋
ａ    ロールケーキ
ｂ    包丁
【図１】
0003162299.tif 000003
【図２】
0003162299.tif 000004
【図３】
0003162299.tif 000005
【図４】
0003162299.tif 000006
【図５】
0003162299.tif 000007
【図６】
0003162299.tif 000008
【図７】
0003162299.tif 000009
【図８】
0003162299.tif 000010
【図９】
0003162299.tif 000011
【図１０】
0003162299.tif 000012
【図１１】
0003162299.tif 000013
【図１２】
0003162299.tif 000014
【図１３】
0003162299.tif 000015
【図１４】
0003162299.tif 000016
【図１５】
0003162299.tif 000017
【図１６】
0003162299.tif 000018